(57)【要約】複数のターミナルに関連した少なくとも１人のユーザを含む通信ネットワークにおいて、少なくとも１人のユーザ及び／又は複数のターミナルに関連した情報を管理する方法は、少なくとも１人のユーザの第１ターミナルから、その第１ターミナルの識別子及びメッセージ情報を含む第１メッセージをサーバーへ送信するステップと、前記メッセージ情報の少なくとも一部分を含む第２メッセージをサーバーからユーザの他のターミナルの少なくとも１つのみに送信するステップとを備えている。
2005532727.tif 000002
【特許請求の範囲】
【請求項１】
複数のターミナルに関連した少なくとも１人のユーザを含む通信ネットワークにおいて、前記少なくとも１人のユーザ及び複数のターミナルの少なくとも１つに関連したプレゼンス情報を管理する方法であって、前記ターミナルのうちの第１ターミナルから、その第１ターミナルの識別子及びプレゼンス情報を含む第１メッセージをサーバーへ送信するステップを備えた方法。
【請求項２】
前記サーバーから前記プレゼンス情報の少なくとも一部分を含む第２メッセージを送信するステップを更に備えた請求項１に記載の方法。
【請求項３】
前記第２メッセージは、前記ターミナルのうちの他のターミナルの少なくとも１つへ送信される請求項２に記載の方法。
【請求項４】
前記第２メッセージを前記ターミナルのうちの複数の他のターミナルへ送信するステップを更に備えた請求項３に記載の方法。
【請求項５】
前記第２メッセージを前記ターミナルのうちの全ての他のターミナルへ送信するステップを更に備えた請求項３に記載の方法。
【請求項６】
前記第２メッセージを他のユーザに関連したターミナルへ送信するステップを更に備えた請求項１から５のいずれかに記載の方法。
【請求項７】
前記他のユーザは、ウオッチャーを含む請求項６に記載の方法。
【請求項８】
前記ユーザの第１ターミナルは、前記複数のターミナルのいずれか１つである請求項１から７のいずれかに記載の方法。
【請求項９】
前記第１メッセージは、前記ユーザ及び第１ターミナルの少なくとも１つに関連したプレゼンス情報を含む請求項１から８のいずれかに記載の方法。
【請求項１０】
前記第２メッセージは、前記ユーザ及び第１ターミナルの少なくとも１つに関連したプレゼンス情報を含む請求項９に記載の方法。
【請求項１１】
前記第１メッセージは、前記ユーザの識別子を含む請求項１から１０のいずれかに記載の方法。
【請求項１２】
前記第１ターミナルは、移動電話又はパーソナルコンピュータである請求項１から１１のいずれかに記載の方法。
【請求項１３】
前記第１メッセージは、ＳＩＰメッセージ又はＨＴＴＰメッセージである請求項１から１２のいずれかに記載の方法。
【請求項１４】
前記第２メッセージは、ＳＩＰメッセージ又はＨＴＴＰメッセージである請求項１から１３のいずれかに記載の方法。
【請求項１５】
複数のターミナルに関連した少なくとも１人のユーザを含む通信ネットワークにおいて、前記少なくとも１人のユーザ及び複数のターミナルの少なくとも１つに関連したプレゼンス情報を管理するサーバーであって、前記ターミナルのうちの第１ターミナルから、その第１ターミナルの識別子及びプレゼンス情報を含む第１メッセージを受信するための入力手段を備えたサーバー。
【請求項１６】
前記プレゼンス情報の少なくとも一部分を含む第２メッセージを送信するための出力手段を更に備えた請求項１５に記載のサーバー。
【請求項１７】
前記第２メッセージは、前記ユーザのターミナルのうちの他のターミナルの少なくとも１つへ送信される請求項１６に記載のサーバー。
【請求項１８】
前記第２メッセージは、前記ターミナルのうちの複数の他のターミナルへ送信される請求項１７に記載のサーバー。
【請求項１９】
前記第２メッセージは、前記ターミナルのうちの全ての他のターミナルへ送信される請求項１７に記載のサーバー。
【請求項２０】
前記出力手段は、前記第２メッセージを、前記他のユーザに関連したターミナルへ送信するようにされる請求項１５から１９のいずれかに記載のサーバー。
【請求項２１】
前記他のユーザは、ウオッチャーを含む請求項２０に記載のサーバー。
【請求項２２】
前記ユーザの前記第１ターミナルは、前記複数のターミナルのいずれか１つである請求項１５から２１のいずれかに記載のサーバー。
【請求項２３】
前記第１メッセージは、前記ユーザ及び第１ターミナルの少なくとも１つに関連したプレゼンス情報を含む請求項１５から２２のいずれかに記載のサーバー。
【請求項２４】
前記第２メッセージは、前記ユーザ及び第１ターミナルの少なくとも１つに関連したプレゼンス情報を含む請求項２３に記載のサーバー。
【請求項２５】
前記第１メッセージは、前記ユーザの識別子を含む請求項１５から２４のいずれかに記載のサーバー。
【請求項２６】
前記第１ターミナルは、移動電話又はパーソナルコンピュータである請求項１５から２５のいずれかに記載のサーバー。
【請求項２７】
前記第１メッセージは、ＳＩＰメッセージ又はＨＴＴＰメッセージである請求項１５から２６のいずれかに記載のサーバー。
【請求項２８】
前記第２メッセージは、ＳＩＰメッセージ又はＨＴＴＰメッセージである請求項１５から２６のいずれかに記載のサーバー。
【請求項２９】
複数のターミナルに関連した少なくとも１人のユーザと、前記少なくとも１人のユーザ及び複数のターミナルの少なくとも１つに関連したプレゼンス情報を管理するサーバーとを備えた通信システムにおいて、前記サーバーは、前記ターミナルのうちの第１ターミナルから、その第１ターミナルの識別子及びプレゼンス情報を含む第１メッセージを受信するための入力手段と、前記プレゼンス情報の少なくとも一部分を含む第２メッセージを送信するための出力手段を備えている通信システム。
【請求項３０】
前記第２メッセージは、前記ターミナルのうちの他のターミナルの少なくとも１つへ送信される請求項２９に記載の通信システム。
【請求項３１】
前記第２メッセージを前記ターミナルのうちの複数の他のターミナルへ送信する請求項３０に記載の通信システム。
【請求項３２】
前記第２メッセージを前記ターミナルのうちの全ての他のターミナルへ送信する請求項３０に記載の通信システム。
【請求項３３】
前記出力手段は、前記第２メッセージを、前記他のユーザに関連したターミナルへ送信するようにされる請求項３０から３２のいずれかに記載の通信システム。
【請求項３４】
前記他のユーザは、ウオッチャーを含む請求項３３に記載の通信システム。
【請求項３５】
前記ユーザの前記第１ターミナルは、前記複数のターミナルのいずれか１つである請求項３０から３４のいずれかに記載の通信システム。
【請求項３６】
前記第１メッセージは、前記ユーザ及び第１ターミナルの少なくとも１つに関連したプレゼンス情報を含む請求項３０から３５のいずれかに記載の通信システム。
【請求項３７】
前記第２メッセージは、前記ユーザ及び第１ターミナルの少なくとも１つに関連したプレゼンス情報を含む請求項３６に記載の通信システム。
【請求項３８】
前記第１メッセージは、前記ユーザの識別子を含む請求項３０から３７のいずれかに記載の通信システム。
【請求項３９】
前記第１ターミナルは、移動電話又はパーソナルコンピュータである請求項３０から３８のいずれかに記載の通信システム。
【請求項４０】
前記第１メッセージは、ＳＩＰメッセージ又はＨＴＴＰメッセージである請求項３０から３９のいずれかに記載の通信システム。
【請求項４１】
前記第２メッセージは、ＳＩＰメッセージ又はＨＴＴＰメッセージである請求項３０から４０のいずれかに記載の通信システム。
【発明の詳細な説明】
【技術分野】
【０００１】
本発明は、通信ネットワークにおけるユーザ状態情報、許可情報及び他のネットワーク情報のようなプレゼンス情報の管理に係り、より詳細には、このようなネットワークにおけるプレゼンスサービスに係るが、これに限定されない。本発明は、特に第三世代（３Ｇ）移動ネットワーク（これに限定されないが）に接続された２つ以上のターミナルをもつユーザに係る。
【背景技術】
【０００２】
第三世代ＩＭＳ（ＩＰマルチメディアコアネットワークサブシステム）通信システムでは、「プレゼンスサービス」がユーザに利用できるようになる。プレゼンスサービスは、サーバーを利用して情報を受け入れ、記憶しそして配布するものである。記憶される情報は、例えば、通信しようとするユーザの意志又は通信についての能力に関するものでもよいし、或いはユーザに関する一般的情報又はグラフィックデータであってもよい。このサービスは、ユーザに、１人以上の他のユーザに関する状態情報を受信する機会を与える。
【０００３】
サーバーは、記憶及び配布されるべき情報を提供するユーザである「プレゼンティティ(presentity)」から情報を受け取る。次いで、他のユーザは、このプレゼンス情報をサーバーから受け取ることができる。例えば、プレゼンティティのプレゼンス情報を受け取るユーザである「ウオッチャー」は、特定のプレゼンティティのプレゼンス情報に変化が生じたときにサーバーから通知を受け取るためにプレゼンスサービスに契約してもよいし、或いは特定のプレゼンティティのプレゼンス情報の現在値を単に要求するだけでもよい。或いは又、ウオッチャーは、１組のプレゼンティティのいずれかのプレゼンス情報に変化が生じたときにそれが通知されるように、このサービスに契約することもできる。
【０００４】
プレゼンスサービスにより記憶及び配布することのできる情報の詳細は、例えば、次の通りである。物理的位置（例えば、「オフィス」又は「家」）、コール状態（例えば、「通信受け入れ準備完了」又は「別の通話中」−おそらく他の当事者の認識も含む）、通信を受け入れる意志（例えば、「応対可能」又は「ミーティング中」−これは誰が尋ねているかに基づく）、及び好ましい媒体（例えば、ビデオ、音声、即時メッセージ（ＩＭ）、ｅ−メール）。ウオッチャーへ提供されるべきプレゼンティティの情報の程度は、ウオッチャーとプレゼンティティとの関係に基づいてもよい。例えば、友人は、詳細な情報を受信できるが、他人は、限定された情報を受信することしか許されない。到達サービス、位置に基づくコール選別、生接続及び即時会議のようなプレゼンス情報の使用により多数の改善型サービスが利用できるようになるであろう。プレゼンスが偏在的なサービスになると、加入者は、誰かとの通信を確立する前に、彼等が通常に契約しているかどうかについて通信状態をチェックする傾向となろう。個人の通信状態がどのようであったか及び個人がいずれの通信方法を利用していたかが前もって分かると、常時話中音や「電話鬼ごっこ(phone tag)」のイライラを排除することができる。
【０００５】
プレゼンスを介して提供することのできるサービスの可能性はエンドレスであることが想像できる。
ＩＳＩＭ（ＩＭＳ加入者認識モジュール）は、ＩＭＳネットワークへの契約を識別する。これは、ターミナルを識別せず、それ故、プレゼンス情報の更新を開始する特定のターミナルを識別することができない。
【発明の開示】
【発明が解決しようとする課題】
【０００６】
それ故、現在、ＩＰベースの３Ｇシステムにおいて単一ユーザに関連した多数のターミナルの使用をサポートする構成は存在しない。ユーザは、例えば、移動電話、ＰＣ又はＰＤＡ（パーソナルデジタルアシスタント）を経てプレゼンス情報にアクセスしようとする。これを行うことができるのに加えて、プレゼンスサービスへ更新情報を送信するのに使用されるターミナルを他のユーザターミナルと同期させることが望まれる。
【０００７】
本発明の目的は、プレゼンス情報を管理するための改良された技術を提供することにより前記問題の１つ又は全部を克服することである。
【課題を解決するための手段】
【０００８】
本発明によれば、複数のターミナルに関連した少なくとも１人のユーザを含む通信ネットワークにおいて、前記少なくとも１人のユーザ及び複数のターミナルの少なくとも１つに関連したプレゼンス情報を管理する方法であって、前記ターミナルのうちの第１ターミナルから、その第１ターミナルの識別子及びプレゼンス情報を含む第１メッセージをサーバーへ送信するステップを備えた方法が提供される。
【０００９】
好ましくは、この方法は、更に、前記サーバーから前記プレゼンス情報の少なくとも一部分を含む第２メッセージを送信するステップを備えている。
【００１０】
好ましくは、前記第２メッセージは、前記ターミナルのうちの他のターミナルの少なくとも１つへ送信される。好ましくは、前記第２メッセージは、前記第１ターミナルへは送信されない。好都合にも、これは、ユーザが、ユーザに関連したターミナルの１つから自分の情報を更新できるようにし、そしてユーザの他のターミナルは、その更新が通知されるように保たれ、従って、全てのターミナルの情報が同期状態に保たれる。第１ターミナルへ送信される第２メッセージは、不必要であり、余分なエアスペースを必要とする。それ故、サーバーは、好ましくは、第２メッセージをユーザの他のターミナルの幾つか又は全部へ送信するのが好都合である。
【００１１】
本発明の更なる効果は、標準的な「契約(SUBSCRIBE)」及び「通知(NOTIFY)」メッセージを使用できることである。これらのメッセージは、ＩＥＴＦ及び３ＧＩＭＳシステムモデルにおいて良く知られている。「契約」及び「通知」メッセージは、プレゼンスサービス内でユーザ及びサーバーにより各々送信される。他のサービス又はコンセプトも、同じ標準的メカニズムを使用することができる。
【００１２】
本発明の第２の態様によれば、複数のターミナルに関連した少なくとも１人のユーザを含む通信ネットワークにおいて、前記少なくとも１人のユーザ及び複数のターミナルの少なくとも１つに関連したプレゼンス情報を管理するサーバーであって、前記ターミナルのうちの第１ターミナルから、その第１ターミナルの識別子及びプレゼンス情報を含む第１メッセージを受信するための入力手段を備えたサーバーが提供される。
【００１３】
前記サーバーは、更に、前記プレゼンス情報の少なくとも一部分を含む第２メッセージを送信するための出力手段を備えてもよい。前記第２メッセージは、好ましくは、前記ユーザのターミナルのうちの他のターミナルの少なくとも１つへ送信される。
【００１４】
本発明の第３の態様によれば、複数のターミナルに関連した少なくとも１人のユーザと、前記少なくとも１人のユーザ及び複数のターミナルの少なくとも１つに関連したプレゼンス情報を管理するサーバーとを備えた通信システムにおいて、前記サーバーは、前記ターミナルのうちの第１ターミナルから、その第１ターミナルの識別子及びプレゼンス情報を含む第１メッセージを受信するための入力手段と、前記プレゼンス情報の少なくとも一部分を含む第２メッセージを送信するための出力手段を備えている通信システムが提供される。前記第２メッセージは、好ましくは、前記ターミナルのうちの他のターミナルの少なくとも１つへ送信される。
【発明を実施するための最良の形態】
【００１５】
以下、添付図面を参照して、本発明を詳細に説明する。
本発明は、非限定実施形態を参照して以下に述べる。特に、本発明は、３Ｇ  ＩＭＳ移動通信ネットワークにおいてプレゼンスサービスの提供に関連して説明する。しかしながら、本発明は、このようなサービス又はこのようなネットワークに限定されない。
【００１６】
図中、同じ部分を指示するのに同じ参照番号が使用されている。先ず、図１を参照すれば、サービスプロバイダーにより提供されるプレゼンスサービスを使用するユーザ５０にターミナル２ａ、２ｂ及び２ｃが関連付けられる。プレゼンスサービスは、移動ネットワークのアプリケーションサーバー、この例では、プレゼンスサーバー１により管理されるアプリケーションである。ターミナル２ａは、ユーザ５０の移動電話であり、２ｂは、ユーザのＰＣであり、そして２ｃは、ＰＤＡである。又、ユーザ５０は、必要に応じて更に別のターミナルをサービスに追加したり又はターミナルを除去したりすることができる。
【００１７】
本発明の一実施形態では、ユーザのプレゼンス情報がプレゼンスサーバー１に記憶される（そして情報の少なくとも一部分のコピーがユーザのターミナルにも記憶される）。図１を参照すれば、各ターミナル２ａ、２ｂ及び２ｃと、ユーザ５０は、全て、それらに関連したプレゼンス情報を有してもよい。このプレゼンス情報と、他のユーザ及び他のターミナルのプレゼンス情報は、プレゼンスサーバーに情報ブロック１０−１９として記憶される。
【００１８】
ウオッチャーがユーザ５０及びユーザの全ターミナルに関するプレゼンス情報を要求する場合には、プレゼンスサーバー１が、２ａ、２ｂ、２ｃ及びユーザ５０のプレゼンス情報を含む「プレゼンスドキュメント」を生成する。このプレゼンスドキュメントは、次いで、ウオッチャーへ送信される。種々の別の態様においては、ウオッチャーの要求に基づいて、プレゼンスドキュメントは、ユーザ５０のプレゼンス情報、又は１つ以上のターミナルのプレゼンス情報だけを含んでもよい。
【００１９】
従って、特定のプレゼンスドキュメントは、特定のプレゼンティティのターミナル又はここに示す例では特定のユーザに特有のものでよい。或いは又、プレゼンスドキュメントは、多数のターミナル又はプレゼンティティに関する情報を含むこともでき、及び／又は情報がそれら全てに共通とすることもできる。
【００２０】
ウオッチャーに送信されるプレゼンスドキュメントは、例えば、ユーザ５０により使用される異なるターミナルの詳細、通信を受信するターミナルの利用性、所与の時間における各ターミナルの好ましい通信手段、及び異なるターミナルに共通のユーザに関連した一般的情報を含んでもよい。プレゼンスドキュメントには、必要に応じてほぼ全ての種類の情報を含ませ得ると考えられる。
【００２１】
ユーザ５０は、３つのターミナル２ａ−２ｃのいずれかを通してサーバー１と通信できる。ＨＴＴＰ又は他のプロトコルが通信に使用されてもよい。
【００２２】
又、図１は、３Ｇネットワークに接続された他のプレゼンティティ又はウオッチャーのターミナル３−８も示す。これらターミナル３−８の各々は、ＳＩＰ、ＨＴＴＰ又はその他を経てサーバー１と通信することができる。プレゼンスサービスに契約した各プレゼンティティは、ブロック１０、１１、・・・１９の１つのような関連プレゼンス情報ブロックを有する。
【００２３】
図２は、本発明の実施形態によりユーザ５０のプレゼンス情報の更新中に送信される信号を示す。図３は、本発明の実施形態によりプレゼンス情報を更新するユーザに関連した事象シーケンスを示す対応フローチャートである。図２及び３を参照して、本発明の特定の実施形態を以下に説明する。
【００２４】
ここに示す例では、ユーザ５０は、移動電話２ａのような自分のターミナルの１つを使用して、「契約(SUBSCRIBE)」メッセージをプレゼンスサーバー１へ送信する。この「契約」メッセージは、通常、ＳＩＰ（セッション開始プロトコル）メッセージである。この送信は、図２に２０で示され、そして図３にステップ１００で示されている。ここに示す例では、ターミナル２ｂ及び２ｃは、サーバー１により提供されるプレゼンス情報に対して既に契約されている。
【００２５】
一般に、プレゼンスサービスにおいては、ＳＩＰ「契約」メッセージの後に、それに対応するＳＩＰ「通知(NOTIFY)」メッセージが続く。例えば、あるユーザが別のユーザのプレゼンス情報を受信するように契約する場合には、そのユーザは、彼が契約した事象の状態、例えば、別のユーザのプレゼンス情報を指示するための「通知」メッセージをその後に受信する。この「通知」メッセージは、プレゼンスサーバー１に現在保持されているプレゼンス情報であって、他のユーザに関連し且つプレゼンスドキュメントで構成されてもよいプレゼンス情報を含む。許可チェックは、好ましくは、プレゼンス情報が送信される前にプレゼンスサーバー１により実行される。一実施形態では、サーバー１は、プレゼンティティ自体により設定された各プレゼンティティのアクセスコントロールリストであって、他のプレゼンティティ及び／又はウオッチャーの誰に、自分のプレゼンス情報へのアクセスを許可すべきか指定するアクセスコントロールリストを有する。
【００２６】
又、加入者は、他のユーザのプレゼンス情報が変化するたびに「通知」メッセージを受信する。このような通知情報は、図示されていない。このような「通知」情報は、当業者に良く知られている。
【００２７】
又、ユーザが、特定情報が更新されたときだけ「通知」メッセージを受信するようにその特定のプレゼンス情報に契約することも考えられる。ここに示す実施形態では、ユーザ５０がプレゼンスサーバー１に契約したある時間後に、ユーザは、自分のＰＣ２ｂを使用して自分のプレゼンス情報を更新する。ユーザ５０は、メッセージ２１をサーバー１へ送信する。本発明によれば、メッセージ２１は、更新を行なうのに使用されるターミナルの識別子、即ちＰＣ２ｂの識別子を含む。又、メッセージ２１は、ユーザ５０の識別子を含んでもよい。ユーザ識別子は、ＨＴＴＰ  ＵＲＬの形態でよく、そしてユーザ５０に関連したプレゼンス情報を独特に識別するのが好ましい。又、メッセージ２１は、ユーザ５０又はターミナル２ｂの状態に関する情報、例えば、ユーザがある手段を経て通信を受信できることを望むかどうか、を含んでもよい。例えば、ユーザは、ミーティング中に自分の移動装置へ到来するコールを防止することを希望する。ユーザは、邪魔されることを望まない旨指示するメッセージをサーバー１へ送信することができる。次いで、サーバー１は、プレゼンス情報に契約したウオッチャーへこの情報を転送する。更新メッセージを送信するステップが図３に１０１で示されている。
【００２８】
次いで、サーバー１は、メッセージ２１を受信し、１つ以上の適当なプレゼンス情報ブロック１０−１９を識別し、そして更新されたプレゼンス情報をプレゼンス情報ブロック１０−１９に記憶する。受信及び記憶ステップは、図３に１０２及び１０３で各々示されている。
【００２９】
サーバーは、ターミナル識別子を使用して、ユーザ５０のターミナルのどれがメッセージ２１を送信したか決定し、従って、プレゼンス情報を更新するのに使用されなかったターミナル２ａ及び２ｃへ「通知」メッセージ２２を送信するのが好ましい（図３のステップ１０４）。この「通知」メッセージのコンテンツは、ユーザ５０又は１つ以上の自分のターミナルのプレゼンス情報を定義するものであるが、これは、ターミナル２ａ及び２ｃに記憶され（図３のステップ１０５）、従って、ユーザ５０の３つのターミナルの各々は、そのターミナルに関連したプレゼンス情報のローカルコピーを有し、このローカルコピーは、互いに且つサーバー１のプレゼンス情報ブロック１０−１９と同期状態に保たれる。上述したように、更新メッセージ２１を送信したターミナル２ｂには「通知」メッセージが送信されないのが好ましい。
【００３０】
「通知」メッセージ２２をターミナル２ａ及び２ｃに送信するのに加えて、サーバー１は、このメッセージ２２を、ユーザ５０のプレゼンス情報に契約した他のターミナル３−８にも送信し、他の加入者にユーザ５０のプレゼンス情報の変化を警報することもできる。
【００３１】
ユーザは、自分のプレゼンス情報をＰＣから更新できるのが好ましい。第１メッセージ（更新メッセージ）は、ＰＣから送信できるのが好ましい。第１メッセージがＰＣから送信される場合には、付加的な認証メカニズムが使用されてもよい。これは、セキュリティの理由で必要とされる。というのは、ＰＣは、一般に、３Ｇネットワークにより確認される認識を有していないからである。同様に、他のターミナルからの全ての「契約」メッセージが認証メカニズムを必要としてもよい。
【００３２】
更新メッセージは、自分の移動、ＰＣ又はＰＤＡのようないずれのユーザターミナルからでもプレゼンスサーバーに送信できるのが好ましい。
更新メッセージは、ユーザの状態の詳細、例えば、ユーザが連絡を望むかどうか、そしてもしそうであれば、どんな手段で、等々を適当に含んでもよい。
【００３３】
本発明は、ワイヤレスネットワーク、又はワイヤレスネットワークを経てサーバーと通信するターミナルに限定されるものでないことが明らかであろう。
本発明は、ここに暗示的に又は明確に開示された特徴又は特徴の組み合わせ或いはそれを一般化したものを包含し、上述した定義の範囲に限定されないことに注意されたい。以上の説明に鑑み、当業者であれば、本発明の範囲内で種々の変更がなされ得ることが明らかであろう。
【図面の簡単な説明】
【００３４】
【図１】多数のターミナルが３Ｇ  ＩＭＳネットワークのプレゼンス加入者に関連されそして多数のターミナルがネットワークの他の加入者に関連された一例を示す図である。
【図２】本発明の好ましい実施形態に基づいて送信される信号のシーケンスを示すシグナリングチャートである。
【図３】本発明の好ましい実施形態のステップを示すフローチャートである。
【図１】
2005532727.tif 000003
【図２】
2005532727.tif 000004
【図３】
2005532727.tif 000005
【国際調査報告】
2005532727.tif 000006
2005532727.tif 000007